(57)【特許請求の範囲】
【請求項１】
１つ以上の再生点の３次元座標値と輝度値とを入力し、ホログラム面上でのゾーンプレート値であるホログラム値を算出するホログラム作成装置であって、
前記再生点の座標値を受信し、前記再生点と前記ホログラム面との間の再生距離に応じたゾーンプレート値を算出すべき円領域の半径値であるゾーンプレート半径値を、予め格納された値の中から選択して発生する半径値発生部と、
前記ゾーンプレート半径値を受信し、前記ゾーンプレート値を算出すべき円領域内のゾーンプレート値を算出するべき点の、前記ゾーンプレート値を算出すべき円領域の中心を原点とするゾーンプレート座標値を発生する、ゾーンプレート座標値発生部と、
前記ゾーンプレート座標値と前記再生距離とを受信し、受信した前記ゾーンプレート座標値と前記再生距離とに応じた個別ゾーンプレート値を、予め格納された値の中から選択して出力するゾーンプレート値発生部と、
前記個別ゾーンプレート値と前記再生点の輝度値とを受信し、乗算して個別ホログラム値を算出する乗算部と、
前記再生点の座標値と前記ゾーンプレート座標値とを受信し、前記ホログラム面上のホログラム座標値を算出するホログラム座標値算出部と、
前記ホログラム座標値と前記個別ホログラム値とを受信し、受信した前記ホログラム座標値に応じた領域に格納されていたホログラム値に受信した前記個別ホログラム値を累積加算して格納するホログラムメモリ部と
を備える、ことを特徴とするホログラム作成装置。
【請求項２】
前記半径値発生部は、格納されたゾーンプレート半径値の中から、受信した前記再生点の座標値に応じたゾーンプレート半径値を選択して出力するゾーンプレート半径値テーブルを備える、ことを特徴とする請求項１記載のホログラム作成装置。
【請求項３】
前記ゾーンプレート座標値発生部は、前記ゾーンプレート値を算出すべき円領域中の中心角が４５°の扇形の領域内のゾーンプレート座標値を発生するゾーンプレート座標発生器を備え、
前記ホログラム座標値算出部は、
受信した前記ゾーンプレート座標値のゾーンプレート値が同一のゾーンプレート値となる８種の等価ゾーンプレート座標値を発生する等価座標算出器と、
前記再生点の座標値と前記等価ゾーンプレート座標値とを受信し、前記ホログラム面上のホログラム座標値を算出するホログラム座標値算出器と
を備える、
ことを特徴とする請求項１記載のホログラム作成装置。
【請求項４】
前記再生点の座標値と輝度値とを受信し、受信した前記再生点の座標値に応じた出力経路から受信した前記再生点の座標値と輝度値とを出力するマルチプレクサを更に備え、
前記半径値発生部は、夫々の前記マルチプレクサの出力経路に応じて、前記再生点の座標値を受信し、前記再生点と前記ホログラム面との間の再生距離に応じたゾーンプレート値を算出すべき領域の半径値であるゾーンプレート半径値を発生する半径値発生器を備え、
前記ゾーンプレート座標値発生部は、夫々の前記マルチプレクサの出力経路に応じて、前記ゾーンプレート半径値を受信し、前記ゾーンプレート値を算出すべき領域内のゾーンプレート値を算出するべき点の、前記ゾーンプレート値を算出すべき領域の中心を原点とするゾーンプレート座標値を発生するゾーンプレート座標値発生器を備え、
前記ゾーンプレート値発生部は、夫々の前記マルチプレクサの出力経路に応じて、前記ゾーンプレート座標値と前記再生距離とを受信し、格納された個別ゾーンプレート値の中から、受信した前記ゾーンプレート座標値と前記再生距離とに応じた個別ゾーンプレート値を選択して出力するゾーンプレート値発生器を備え、
前記乗算部は、夫々の前記マルチプレクサの出力経路に応じて、前記個別ゾーンプレート値と前記再生点の輝度値とを受信し、乗算して個別ホログラム値を算出する乗算器を備え、
前記ホログラム座標値算出部は、夫々の前記マルチプレクサの出力経路に応じて、前記再生点の座標値と前記ゾーンプレート座標値と受信し、前記ホログラム面上のホログラム座標値を算出するホログラム座標値算出器を備え、
前記マルチプレクサの出力経路ごとの前記個別ホログラム値および前記ホログラム座標値を受信し、受信した前記ホログラム座標値に応じた出力経路から受信した前記個別ホログラム値および前記ホログラム座標値を出力するクロスバースイッチを更に備え、
前記ホログラムメモリ部は、前記クロスバースイッチの出力経路ごとに、前記ホログラム座標値と前記個別ホログラム値とを受信し、受信した前記ホログラム座標値に応じた領域に格納されていたホログラム値に受信した前記個別ホログラム値を累積加算して格納するホログラムメモリを備える、
ことを特徴とする請求項１記載のホログラム作成装置。
【請求項５】
前記乗算器は、前記個別ホログラム値を一時的に格納する第１のファストインファストアウトバッファを備え、
前記ホログラム座標値算出器は、前記ホログラム座標値を一時的に格納する第２のファストインファストアウトバッファを備える、
ことを特徴とする請求項４記載のホログラム作成装置。
【請求項６】
１つ以上の再生点の３次元座標値と輝度値とを入力し、ホログラム面上でのゾーンプレート値であるホログラム値を算出するホログラム作成方法であって、
前記再生点の座標値を受信し、前記再生点と前記ホログラム面との間の再生距離に応じたゾーンプレート値を算出すべき円領域の半径値であるゾーンプレート半径値を、予め格納された値の中から選択して発生する第１のステップと、
前記ゾーンプレート半径値を受信し、前記ゾーンプレート値を算出すべき円領域内のゾーンプレート値を算出するべき点の、前記ゾーンプレート値を算出すべき円領域の中心を原点とするゾーンプレート座標値を発生する第２のステップと、
前記ゾーンプレート座標値と前記再生距離とを受信し、受信した前記ゾーンプレート座標値と前記再生距離とに応じた個別ゾーンプレート値を、予め格納された値の中から選択して出力する第３のステップと、
前記個別ゾーンプレート値と前記再生点の輝度値とを受信し、乗算して個別ホログラム値を算出する第４のステップと、
前記再生点の座標値と前記ゾーンプレート座標値とを受信し、前記ホログラム面上のホログラム座標値を算出する第５のステップと、
前記ホログラム座標値と前記個別ホログラム値とを受信し、受信した前記ホログラム座標値に応じた領域に格納されていたホログラム値に受信した前記個別ホログラム値を累積加算して格納する第６のステップと
を備える、ことを特徴とするホログラム作成方法。
【請求項７】
表示対象体の輝点の座標値と輝度値とから前記表示対象体の３次元形態を表示するホログラフィ表示装置であって、
右目用ホログラム情報が書込まれ、右目用読み出し光の照射によって右目用の３次元情報を担った光を発生する右目用空間光変調器と、
前記右目用の３次元情報を担った光を受信し、右目の視点位置に導く右目用光学系と、
左目用ホログラム情報が書込まれ、左目用読み出し光の照射によって左目用の３次元情報を担った光を発生する左目用空間光変調器と、
前記左目用の３次元情報を担った光を受信し、左目の視点位置に導く左目用光学系と、
前記輝点の座標値を受信し、右目の視点における右目座標系の座標値に変換する右目用座標変換器と、
虚像の座標値である前記右目座標系の座標値を受信し、右目用実像の座標値に変換する右目用虚像実像変換器と、
前記右目用実像の座標値および前記輝点の輝度値とを再生点の座標値および輝度値として受信し、ホログラム面上での右目用ホログラム値を算出する右目用の請求項１のホログラム作成装置と、
前記右目用ホログラム値を受信し、前記右目用空間光変調器を駆動して受信した前記右目用ホログラム値を書込む右目用駆動器と、
前記輝点の座標値を受信し、左目の視点における左目座標系の座標値に変換する左目用座標変換器と、
虚像の座標値である前記左目座標系の座標値を受信し、左目用実像の座標値に変換する左目用虚像実像変換器と、
前記左目用実像の座標値および前記輝点の輝度値とを再生点の座標値および輝度値として受信し、ホログラム面上での左目用ホログラム値を算出する左目用の請求項１のホログラム作成装置と、
前記左目用ホログラム値を受信し、前記左目用空間光変調器を駆動して受信した前記左目用ホログラム値を書込む左目用駆動器と
を備えることを特徴とするホログラフィ表示装置。
【発明の詳細な説明】
【０００１】
【発明の属する技術分野】
本発明は、物体の３次元像の情報を含んだホログラムを作成するホログラム作成装置およびホログラム作成方法、並びに、このホログラム作成装置で作成された物体の３次元像の情報を用いて形態を物体の３次元像を表示するホログラフィ表示装置に関するものである。
【０００２】
【従来の技術】
物体の３次元像の表示技術としてホログラフィ技術が注目されている。このホログラフィ技術は、物体の３次元情報を含むホログラムを作成するホログラム作成技術と、ホログラム作成技術によって記録された物体の３次元情報を読み出して物体の３次元像を表示するホログラフィ表示技術とから構成される。
【０００３】
ホログラムは、実際の物体に可干渉光を照射し、物体での反射光と可干渉であるプローブ光とを干渉させた結果生じる干渉パターンを撮像することで作成されるが、計算によっても作成することが可能である。
【０００４】
計算によってホログラムを作成するホログラム作成装置としては、再生点の一点ごとにホログラム面での球面波（ゾーンプレート）計算し、ホログラム面で加算する装置（例えば、特開平２−１２１９１、特開平４−１０２８１１、特開平８−２６２９６２などに開示された装置）が提案されている（以下、従来例１と呼ぶ）。
【０００５】
また、高速フーリエ変換を利用し、再生物体を多数の平面物体によって構成されたものとして、各平面からホログラムまでの距離に応じた伝搬関数（ゾーンプレート）と各伝搬関数に応じた平面との畳み込み積分を実行し、ホログラム面で加算する装置（特開平８−２６２９６２などに開示された装置）が提案されている（以下、従来例２と呼ぶ）。
【０００６】
従来例１では、（ａ）一つの再生点からホログラム面上の全ての点（離散点）までの距離を計算し、（ｂ）計算で得られた各距離を波長で除算し、（ｃ）各除算結果の小数点以下に円周率の２倍を乗算して、ホログラム面上の各離散点ごとの位相角を求め、（ｄ）各位相角の余弦で実数成分を、また、各位相角の正弦で虚数成分を計算し、（ｅ）各実数成分および各余弦成分と再生点の光の振幅に対応している輝度値とを乗算する。そして、以上の（ａ）〜（ｅ）の計算処理を各再生点ごとに行い、その後にホログラム面上の各離散点ごとに、各再生点ごとの計算結果を加算する。
【０００７】
従来例２においても、伝搬関数の計算にあたって、従来例１と同様の計算を実行する。
【０００８】
こうした計算の処理について提案されている手法として、（ｉ）ソフトウエアによる処理、（ｉｉ）有効数字の多い乗算器や加算器を多数並べた専用計算チップによる処理、（ｉｉｉ）計算結果を予め格納しておき、必要に応じて取り出すテーブル化の手法（平成５年度高度立体動画像通信プロジェクト研究開発報告書、ｐ．３４〜３５；以後、「報告」と略す）による処理が提案されている。このテーブル化の手法では、予め異なる奥行を有する点光源に応じた干渉縞をテーブル化している。
【０００９】
【発明が解決しようとする課題】
従来例では、上記のようにして、計算が実行されるが、計算量や計算に使用する資源が膨大なものとなる。
【００１０】
上記のソフトウエアに計算処理においては、平方根、余弦、正弦の計算が発生するが、これらの計算は、大量のループ計算を含む級数展開法や逐次代入法などによる標準的なサブルーチン関数を呼び出して利用することになる。したがって、計算量が膨大なものとなる。また、高価な浮動小数点演算器を利用することが必須となる。
【００１１】
上記の専用計算チップによる計算処理においては、余弦や正弦に関しては、テーブル化の手法による実現が可能である。しかし、平方根の計算にあたっては、ニュートン法によったり、テーラ展開またはマクローリン展開した式に従って、有効数字の多い乗算器や加算器を多数並べるか、有効数字の多い乗算器や加算器を少数として、フィードバックループを構成するかする必要があり、制御が複雑となってしまう。したがって、小型化が困難であるとともに、高価なものとなってしまう。
【００１２】
上記のテーブル化の手法においては、縦方向に視差の無い１次元ホログラムを想定しており、横方向に関する物点の移動については、データのオフセットを偏光して対応している。ところで、テーブルの大きさは、１ホロラインの画素数と奥行の分解能で決まる。「報告」の例では、テーブルの大きさは、約４０Ｍｂｙｔｅ（＝８１９２０［画素数／ホロライン］×１２８［奥行の分解能］×３［原色数］ｂｉｔ）である。
【００１３】
この手法を単純に３次元に拡張すると、テーブルを収納するためのメモリ容量は、以下のようになる。
【００１４】
画素数が５１２×５１２のホログラムで、奥行の分解能を１２８かつ３原色とすると、必要な容量が１００Ｍｂｙｔｅとなる。この量のメモリをオンボードで実現しようとすると、メモリ素子としてＳＲＡＭを採用すると、配線長の要因から高速アクセスが困難になる。また、メモリ素子としてＤＲＡＭを採用すると、ＤＲＡＭに不向きなランダムアクセスとなるので、やはり高速アクセスが困難である。
【００１５】
したがって、画素数を５１２×５１２から１０２４×１０２４へと増加させたり、奥行の分解能を１２８から２５６あるいは５１２へと増加させたときには、到底対応ができない。
【００１６】
また、「報告」の例では、干渉縞の細かさと画素の細かさとの関連については、何等の示唆がなされていない。発明者が研究の結果から得た知見によれば、縞間隔が画素ピッチ以下の干渉縞でホログラムを作成すると、像の表示時に偽の物点が発生する。
【００１７】
本発明は、上記を鑑みてなされたものであり、簡単な構成で高速に計算機ホログラムを計算するホログラム作成装置、ホログラム作成方法を提供することを目的とする。
【００１８】
また、本発明のホログラム作成装置で作成された計算機ホログラムに基づいて３次元像を表示するホログラフィ表示装置を提供することを目的とする。
【００１９】
【課題を解決するための手段】
本発明のホログラム作成装置は、１つ以上の再生点の３次元座標値と輝度値とを入力し、ホログラム面上でのゾーンプレート値であるホログラム値を算出するホログラム作成装置であって、（ａ）再生点の座標値を受信し、再生点とホログラム面との間の再生距離に応じたゾーンプレート値を算出すべき円領域の半径値であるゾーンプレート半径値を、予め格納された値の中から選択して発生する半径値発生部と、（ｂ）ゾーンプレート半径値を受信し、ゾーンプレート値を算出すべき円領域内のゾーンプレート値を算出するべき点の、ゾーンプレート値を算出すべき円領域の中心を原点とするゾーンプレート座標値を発生するゾーンプレート座標値発生部と、（ｃ）ゾーンプレート座標値と再生距離とを受信し、受信したゾーンプレート座標値と再生距離とに応じた個別ゾーンプレート値を、予め格納された値の中から選択して出力するゾーンプレート値発生部と、（ｄ）個別ゾーンプレート値と再生点の輝度値とを受信し、乗算して個別ホログラム値を算出する乗算部と、（ｅ）再生点の座標値とゾーンプレート座標値とを受信し、ホログラム面上のホログラム座標値を算出するホログラム座標値算出部と、（ｆ）ホログラム座標値と個別ホログラム値とを受信し、受信したホログラム座標値に応じた領域に格納されていたホログラム値に受信した個別ホログラム値を累積加算して格納するホログラムメモリ部とを備えることを特徴とする。
【００２０】
本発明のホログラム作成装置は、以下のようにして、本発明のホログラム作成方法を実行する。
【００２１】
まず、半径値発生部が、再生点の座標値を受信し、再生点とホログラム面との間の再生距離に応じたゾーンプレート値を算出すべき円領域の半径値であるゾーンプレート半径値を、予め格納された値の中から選択して発生する（第１のステップ）。
【００２２】
次に、ゾーンプレート座標値発生部が、ゾーンプレート半径値を受信し、ゾーンプレート値を算出すべき円領域内のゾーンプレート値を算出するべき点の、ゾーンプレート値を算出すべき円領域の中心を原点とするゾーンプレート座標値を発生する（第２のステップ）。
【００２３】
次いで、ゾーンプレート値発生部が、ゾーンプレート座標値と再生距離とを受信し、受信したゾーンプレート座標値と再生距離とに応じた個別ゾーンプレート値を、予め格納された値の中から選択して出力する（第３のステップ）。
【００２４】
引き続き、乗算部が、個別ゾーンプレート値と再生点の輝度値とを受信し、乗算して個別ホログラム値を算出する（第４のステップ）。
【００２５】
一方、ホログラム座標値算出部が、再生点の座標値とゾーンプレート座標値とを受信し、ホログラム面上のホログラム座標値を算出する（第５のステップ）。
【００２６】
そして、ホログラムメモリ部が、ホログラム座標値と個別ホログラム値とを受信し、受信した前記ホログラム座標値に応じた領域に格納されていたホログラム値に受信した個別ホログラム値を累積加算して格納する（第６のステップ）。
【００２７】
こうして、計算によってホログラムを作成する。
【００２８】
本発明のホログラム作成装置では、半径値発生部が、格納されたゾーンプレート半径値の中から、受信した再生点の座標値に応じたゾーンプレート半径値を選択して出力するゾーンプレート半径値テーブルを備えることが好適である。
【００２９】
この場合、ゾーンプレート半径値を求めるにあたって、平方根の演算処理が不要となる。そして、ゾーンプレート半径値テーブルへのアクセスでゾーンプレート半径値を求まるので、高速にゾーンプレート半径値を求めることができる。
【００３０】
また、ゾーンプレート座標値発生部が、ゾーンプレート値を算出すべき円領域中の中心角が４５°の扇形の領域内のゾーンプレート座標値を発生するゾーンプレート座標発生器を備え、ホログラム座標値算出部が、（ｉ）受信したゾーンプレート座標値のゾーンプレート値が同一のゾーンプレート値となる８種の等価ゾーンプレート座標値を発生する等価座標算出器と、（ｉｉ）再生点の座標値と等価ゾーンプレート座標値とを受信し、ホログラム面上のホログラム座標値を算出するホログラム座標値算出器とを備えることが好適である。
【００３１】
この場合、等価座標算出器が、１つのゾーンプレート座標値を受信すると、受信したゾーンプレート座標値のゾーンプレート値が同一のゾーンプレート値となる８種の等価ゾーンプレート座標値を発生する。そして、ホログラム座標値算出器が、再生点の座標値と８種の等価ゾーンプレート座標値とを受信し、８種のホログラム面上のホログラム座標値を算出する。この結果、更に高速化が達成される。
【００３２】
本発明のホログラム作成装置では、（ｉ）再生点の座標値と輝度値とを受信し、受信した再生点の座標値に応じた出力経路から受信した再生点の座標値と輝度値とを出力するマルチプレクサを更に備え、（ｉｉ）半径値発生部は、夫々のマルチプレクサの出力経路に応じて、再生点の座標値を受信し、再生点とホログラム面との間の再生距離に応じたゾーンプレート値を算出すべき領域の半径値であるゾーンプレート半径値を発生する半径値発生器を備え、（ｉｉｉ）ゾーンプレート座標値発生部は、夫々のマルチプレクサの出力経路に応じて、ゾーンプレート半径値を受信し、ゾーンプレート値を算出すべき領域内のゾーンプレート値を算出するべき点の、ゾーンプレート値を算出すべき領域の中心を原点とするゾーンプレート座標値を発生するゾーンプレート座標値発生器を備え、（ｉｖ）ゾーンプレート値発生部は、夫々のマルチプレクサの出力経路に応じて、ゾーンプレート座標値と再生距離とを受信し、格納された個別ゾーンプレート値の中から、受信したゾーンプレート座標値と再生距離とに応じた個別ゾーンプレート値を選択して出力するゾーンプレート値発生器を備え、（ｖ）乗算部は、夫々の前記マルチプレクサの出力経路に応じて、個別ゾーンプレート値と再生点の輝度値とを受信し、乗算して個別ホログラム値を算出する乗算器を備え、（ｖｉ）ホログラム座標値算出部は、夫々のマルチプレクサの出力経路に応じて、再生点の座標値とゾーンプレート座標値と受信し、ホログラム面上のホログラム座標値を算出するホログラム座標値算出器を備え、（ｖｉｉ）マルチプレクサの出力経路ごとの個別ホログラム値およびホログラム座標値を受信し、受信したホログラム座標値に応じた出力経路から受信した個別ホログラム値およびホログラム座標値を出力するクロスバースイッチを更に備え、（ｖｉｉｉ）ホログラムメモリ部は、クロスバースイッチの出力経路ごとに、ホログラム座標値と個別ホログラム値とを受信し、受信したホログラム座標値に応じた領域に格納されていたホログラム値に受信した個別ホログラム値を累積加算して格納するホログラムメモリを備えることが可能である。
【００３３】
この場合には、ゾーンプレート値の計算処理が並列に処理される。また、ホログラムメモリ部を局所的に分割して、ホログラムメモリへの同時アクセスを防止し、ホログラムメモリ部において並列動作を可能にしている。したがって、更に高速化が図られる。
【００３４】
なお、この場合には、乗算器が前記個別ホログラム値を一時的に格納する第１のファストインファストアウトバッファを備え、ホログラム座標値算出器がホログラム座標値を一時的に格納する第２のファストインファストアウトバッファを備えることが好適である。
【００３５】
本発明のホログラフィ表示装置は、表示対象体の輝点の座標値と輝度値とから表示対象体の３次元形態を表示するホログラフィ表示装置であって、（ａ）右目用ホログラム情報が書込まれ、右目用読み出し光の照射によって右目用の３次元情報を担った光を発生する右目用空間光変調器と、（ｂ）右目用の３次元情報を担った光を受信し、右目の視点位置に導く右目用光学系と、（ｃ）左目用ホログラム情報が書込まれ、左目用読み出し光の照射によって左目用の３次元情報を担った光を発生する左目用空間光変調器と、（ｄ）左目用の３次元情報を担った光を受信し、左目の視点位置に導く左目用光学系と、（ｅ）輝点の座標値を受信し、右目の視点における右目座標系の座標値に変換する右目用座標変換器と、（ｆ）虚像の座標値である右目座標系の座標値を受信し、右目用実像の座標値に変換する右目用虚像実像変換器と、（ｇ）右目用実像の座標値および輝点の輝度値とを再生点の座標値および輝度値として受信し、ホログラム面上での右目用ホログラム値を算出する右目用の本発明のホログラム作成装置と、（ｈ）右目用ホログラム値を受信し、右目用空間光変調器を駆動して受信した右目用ホログラム値を書込む右目用駆動器と、（ｉ）輝点の座標値を受信し、左目の視点における左目座標系の座標値に変換する左目用座標変換器と、（ｊ）虚像の座標値である左目座標系の座標値を受信し、左目用実像の座標値に変換する左目用虚像実像変換器と、（ｋ）左目用実像の座標値および輝点の輝度値とを再生点の座標値および輝度値として受信し、ホログラム面上での左目用ホログラム値を算出する左目用の本発明のホログラム作成装置と、（ｌ）左目用ホログラム値を受信し、左目用空間光変調器を駆動して受信した左目用ホログラム値を書込む左目用駆動器とを備えることを特徴とする。
【００３６】
本発明のホログラフィ表示装置では、まず、右目用座標変換器が、輝点の座標値を受信し、右目の視点における右目座標系の座標値に変換するとともに、左目用座標変換器が、輝点の座標値を受信し、左目の視点における左目座標系の座標値に変換する。
【００３７】
次に、右目用虚像実像変換器が、虚像の座標値である右目座標系の座標値を受信し、右目用実像の座標値に変換するとともに、左目用虚像実像変換器が、虚像の座標値である左目座標系の座標値を受信し、左目用実像の座標値に変換する。
【００３８】
次いで、右目用の本発明のホログラム作成装置が、右目用実像の座標値および輝点の輝度値とを再生点の座標値および輝度値として受信し、ホログラム面上での右目用ホログラム値を算出するとともに、左目用の本発明のホログラム作成装置が、左目用実像の座標値および輝点の輝度値とを再生点の座標値および輝度値として受信し、ホログラム面上での左目用ホログラム値を算出する。
【００３９】
引き続き、右目用駆動器が、右目用ホログラム値を受信し、右目用空間光変調器を駆動して受信した前記右目用ホログラム値を書込むとともに、左目用駆動器が、左目用ホログラム値を受信し、左目用空間光変調器を駆動して受信した左目用ホログラム値を書込む。
【００４０】
次に、右目用空間光変調器に右目用読み出し光を照射して右目用の３次元情報を担った光を発生させるとともに、左目用空間光変調器に左目用読み出し光を照射して左目用の３次元情報を担った光を発生させる。
【００４１】
そして、右目用光学系が右目用の３次元情報を担った光を受信し、右目の視点位置に導くとともに、左目用光学系が左目用の３次元情報を担った光を受信し、左目の視点位置に導く。
【００４２】
こうして、表示対象体の輝点の座標値と輝度値とから表示対象体の３次元形態を表示する。
【００４３】
【発明の実施の形態】
以下、添付図面を参照して、本発明の実施の形態を説明する。なお、図面の説明にあたって同一の要素には同一の符号を付し、重複する説明を省略する。
【００４４】
まず、本発明のホログラム作成装置の実施の形態を説明する。
【００４５】
（ホログラム作成装置の第１実施形態）
図１は、本発明のホログラム作成装置の第１実施形態の構成図である。なお、本実施形態では、座標系（ｘ，ｙ，ｚ）を、ホログラム面がｚ＝０におけるｘｙ平面となるように選択している。
【００４６】
図１に示すように、本実施形態のホログラム作成装置１００は、（ａ）再生点の座標値および輝度（ＸP，ＹP，ＺP，ＩP）を受信し、ホログラム座標値（ｘh，ｙh）と個別ホログラム値Ｉhとを発生するホログラム計算部１９０と、（ｂ）ホログラム座標値（ｘh，ｙh）と個別ホログラム値Ｉhとを受信し、受信したホログラム座標値（ｘh，ｙh）に応じた領域に格納されていたホログラム値ＩO1に、受信した個別ホログラム値Ｉhを累積加算して格納するホログラムメモリ部１６０1と、（ｃ）ホログラム座標値（ｘh，ｙh）と個別ホログラム値Ｉhとを受信し、受信したホログラム座標値（ｘh，ｙh）に応じた領域に格納されていたホログラム値Ｉo2に、受信した個別ホログラム値Ｉhを累積加算して格納する、ホログラムメモリ部１６０1と交互に動作するホログラムメモリ部１６０2と、（ｄ）ホログラムメモリ部１６０1の出力ＩO1およびホログラムメモリ部１６０2の出力ＩO2のいずれか一方を選択して出力する選択器１７０と、（ｅ）ホログラム作成装置の動作全体を制御する制御部１８０とを備える。
【００４７】
ホログラム計算部１９０は、（ｉ）再生点のＺ座標値ＺPを受信し、再生点とホログラム面との間の再生距離ＺPに応じたゾーンプレート値を算出すべき円領域の半径値であるゾーンプレート最大半径値ｒmax（ＺP）を発生する半径値発生部１１０と、（ｉｉ）ゾーンプレート最大半径値ｒmax（ＺP）を受信し、ゾーンプレート値を算出すべき円領域内のゾーンプレート値を算出するべき点の、ゾーンプレート値を算出すべき円領域の中心を原点とするゾーンプレート座標値（ｘz，ｙz）を発生するゾーンプレート座標値発生部１２０と、（ｉｉｉ）ゾーンプレート座標値（ｘz，ｙz）を受信し、ゾーンプレート値を算出すべき円領域の中心を原点からゾーンプレート座標値（ｘz，ｙz）までの距離ｒxyを発生する半径値発生部１３０と、（ｉｖ）距離ｒxyと再生距離ＺPとを受信し、格納された個別ゾーンプレート値の中から、受信した距離ｒxyと再生距離ＺPとに応じた個別ゾーンプレート値ｋfを選択して出力するゾーンプレート値発生部１３５と、（ｖ）個別ゾーンプレート値ｋfと再生点の輝度値ＩPとを受信し、乗算して個別ホログラム値Ｉhを算出する乗算部１４０と、（ｖｉ）再生点のＸＹ座標値（ＸP，ＹP）とゾーンプレート座標値（ｘz，ｙz）とを受信し、ホログラム面上のホログラム座標値（ｘh，ｙh）を算出するホログラム座標値算出部１５０とを備える。
【００４８】
半径値発生部１１０は、再生距離ＺPをアドレスとして入力するメモリ素子を備え、該当アドレスに予め格納された再生距離ＺPに応じたゾーンプレート最大半径値ｒmax（ＺP）を出力する。すなわち、半径値発生部１１０は、１次元メモリによるテーブルである。
【００４９】
再生距離ＺPに応じたゾーンプレート最大半径値ｒmax（ＺP）は、以下のようにして、予め算出される。なお、以下では、簡単のため、再生距離ＺPを想定波長λの整数倍で近似する。
【００５０】
ホログラム面上でのゾーンプレートの中心からゾーンプレートのｎ次明部までの半径ｒb（ＺP，ｎ）は、
ｒb（ＺP，ｎ）＝（２ＺPｎλ＋ｎ2λ2）1/2          …（１）
となる。また、ゾーンプレートの中心からゾーンプレートのｎ次暗部までの半径ｒd（ＺP，ｎ）は、
ｒd（ＺP，ｎ）＝（２ＺP（ｎ＋０．５）λ＋（ｎ＋０．５）2λ2）1/2…（２）
となる。
【００５１】
ホログラムが離散的であり、ピッチがｐのとき、ｎ次までのゾーンプレートを解像できる条件は、
ｒd（ＺP，ｎ）−ｒb（ＺP，ｎ）＞ｐ                  …（３）
である。
【００５２】
ピッチｐと（３）式から、（３）式の条件を満たすｎの最大値ｎmaxを求める。
【００５３】
こうして求めた、ｎmaxをｎとして（１）式の右辺に代入して
Ｒmax（ＺP）＝ｒb（ＺP，ｎmax）＝（２ＺPｎmaxλ＋ｎmax2λ2）1/2…（４）
求められる値Ｒmaxが、再生距離ＺPに応じた最大半径値である。
【００５４】
この最大半径値Ｒmaxは物理量であるが、後の処理では、ホログラムにおける離散値の座標番号としておくことが便宜である。したがって、
ｒmax（ＺP）＝Ｒmax（ＺP）／ｐ                      …（５）
で求められる値ｒmax（ＺP）を半径発生部１１０のメモリ素子のアドレス値ＺPに応じた領域に格納する。そして、以後、値ｒmax（ＺP）を最大半径値として取扱う。
【００５５】
なお、以後の計算量の低減のために、最大半径値ｒmax（ＺP）よりも小さな適当な値を、半径発生部１１０のメモリ素子のアドレス値ＺPに応じた領域に格納することも可能である。
【００５６】
本実施形態の実施例では、例えば、ホログラムを５１２画素×５１２画素とし、再生距離ＺP＝２５ｃｍ〜５０．５ｃｍ（１ｍｍ単位で２５６種）、波長λ＝０．６３２８μｍ、ホログラムピッチｐ＝４１．４μｍとすることが可能である。
【００５７】
図２は、ゾーンプレート座標値発生部１２０の構成図である。図２に示すように、ゾーンプレート座標値発生部１２０は、（ｉ）最大半径値ｒmax（ＺP）を受信し、符号を反転して、ゾーンプレート座標値（ｘz，ｙz）を発生すべき領域の最小のｙ座標値である値ｙmin（＝−ｒmax（ＺP））を出力する符号変換器１２１と、（ｉｉ）制御部１８０からのロード信号ＬＤに応じて値ｙminを格納してｙ座標値ｙzとして出力し、カウントアップ信号ＣＵに応じて、逐次的にカウントアップした値をｙ座標値ｙzとして出力するとともに、出力値が変化した場合に変化信号ＣＨを出力するカウンタ１２２と、（ｉｉｉ）値ｙminとｙ座標値ｙzとを受信し、ｙ座標値ｙzにおける、ゾーンプレート座標値（ｘz，ｙz）を発生すべき領域での最大ｘ座標値ｘmaxと最小ｘ座標値ｘminとを発生するテーブルメモリ１２３と、（ｉｖ）変化信号ＣＨに応じて値ｘminを格納してｘ座標値ｘzとして出力し、制御部１８０からのクロック信号ＣＬＫ１に応じて、逐次的にカウントアップした値をｘ座標値ｘzとして出力するカウンタ１２４と、（ｖ）ｘ座標値ｘzと最大ｘ座標値ｘmaxとを比較して、ｘ座標値ｘzが最大ｘ座標値ｘmax以上となったときに、カウントアップ信号ＣＵを発生する比較器１２５と、（ｖｉ）ｙ座標値ｙzと最大ｙ座標値ｙmaxとを比較して、ｙ座標値ｙzが最大ｘ座標値ｙmax以上となったときに、終了信号ＥＮＤ信号ＣＵを発生する比較器１２６とを備える。
【００５８】
最大ｘ座標値ｘmaxと最小ｘ座標値ｘminとは、
ｘmax＝（ｒmax2−ｙz2）1/2                        …（６）
ｘmin＝−（ｒmax2−ｙz2）1/2                      …（７）
により予め計算され、テーブルメモリ１２３に格納される。
【００５９】
半径値発生部１３０は、ゾーンプレート座標値（ｘz，ｙz）をアドレスとして入力するメモリ素子を備え、該当アドレスに予め格納された半径値ｒxyを出力する、テーブルとして構成される。
【００６０】
半径値ｒxy’は、
ｒxy’＝（ｘz2＋ｙz2）1/2                          …（８）
により予め計算される。
【００６１】
ただし、半径値ｒxyは、後にアドレスとして使用するので、整数値化しておく必要がある。このため、適宜小数点をシフトさせ、端数をまるめておく。一般には、シフト量が大きい程、ゾーンプレート値の補間効果が表れるが、シフト量は半径値発生部１３０において許容できるメモリ量によって制約される。発明者の知見によれば、実際には、１０倍して、四捨五入する程度で必要十分である。すなわち、半径値ｒxyとして、
ｒxy＝ｉｎｔ［（１０（ｘz2＋ｙz2）1/2＋０．５）］      …（９）
ここで、ｉｎｔ［Ｘ］はＸ以下の最大の整数を示す
を使用することが好適である。
【００６２】
ゾーンプレート値発生部１３５は、半径値ｒxyと再生距離ＺPとアドレスとして入力するメモリ素子を備え、該当アドレスに予め格納されたゾーンプレート値ｋf（ｒxy，ＺP）を出力する、テーブルとして構成される。
【００６３】
ゾーンプレート値ｋf（ｒxy，ＺP）は、以下のようにして予め計算される。
【００６４】
まず、再生点からゾーンプレート座標値（ｘz，ｙz，０）までの実際の距離を波長λで除算した値ｒ（ｒxy，ＺP）を、
ｒ（ｒxy，ＺP）＝［ｐ2（ｒxy／１０）2＋ＺP2］1/2／λ  …（１０）
を求める。次に、ゾーンプレート座標値（ｘz，ｙz，０）での位相ＰＨ（ｒxy，ＺP）を、
θ（ｒxy，ＺP）＝（ｒ（ｒxy，ＺP）−ｉｎｔ［ｒ（ｒxy，ＺP）］）×２π                              …（１１）
して求める。
【００６５】
そして、ゾーンプレート値ｋf（ｒxy，ＺP）の実数部Ｒｅ［ｋf（ｒxy，ＺP）］を、
Ｒｅ［ｋf（ｒxy，ＺP）］＝ｃｏｓ（θ（ｒxy，ＺP））
／［ｐ2（ｒxy／１０）2＋ＺP2］1/2  …（１２）
より求め、また、ゾーンプレート値ｋf（ｒxy，ＺP）の虚数部Ｉｍ［ｋf（ｒxy，ＺP）］を、
Ｉｍ［ｋf（ｒxy，ＺP）］＝ｓｉｎ（θ（ｒxy，ＺP））
／［ｐ2（ｒxy／１０）2＋ＺP2］1/2  …（１３）
より求める。
【００６６】
なお、実数ホログラムとする場合には、（１２）式のみを計算すればよい。また、計算にあたって浮動小数点演算器を使用したくなければ、必要なビット幅、例えば８ビット必要であれば２５６を乗算後、整数化した値を用いればよい。
【００６７】
更に、ＺP＞＞ｐ（ｒxy／１０）ならば、（１２）、（１３）式における［ｐ2（ｒxy／１０）2＋ＺP2］1/2による除算を省略することが可能である。また、表示に使用する空間光変調器のＭＴＦに応じて、［ｐ2（ｒxy／１０）2＋ＺP2］1/2を変更することが可能である。
【００６８】
図３は、ホログラム座標値算出部１５０の構成図である。図３に示すように、ホログラム座標値算出部１５０は、（ｉ）ゾーンプレート座標値（ｘz，ｙz）のｘ座標値ｘzの符号を反転し、−ｘzを出力する符号反転器１５１と、（ｉｉ）ゾーンプレート座標値（ｘz，ｙz）のｙ座標値ｙzの符号を反転し、−ｙzを出力する符号反転器１５２と、（ｉｉｉ）制御部１８０の選択信号ＳＥＬ２に応じて、ｘz、−ｘz、ｙz、および−ｙzのいずれかを選択して出力する８入力の選択器１５３と、（ｉｖ）制御部１８０の選択信号ＳＥＬ２に応じて、ｘz、−ｘz、ｙz、および−ｙzのいずれかを選択して出力する８入力の選択器１５４と、（ｖ）選択器１５３からの出力値と再生点のＸ座標値ＸPと加算して、ホログラム座標値（ｘh，ｙh）のｘ座標値ｘhを出力する加算器１５５と、（ｖｉ）選択器１５４からの出力値と再生点のＹ座標値ＹPと加算して、ホログラム座標値（ｘh，ｙh）のｙ座標値ｙhを出力する加算器１５６とを備える。
【００６９】
なお、選択器１５３からの出力値と選択器１５４からの出力値との組合せとして、（ｘz，ｙz）、（ｘz，−ｙz）、（ｙz，ｘz）、（ｙz，−ｘz）、（−ｘz，ｙz）、（−ｘz，−ｙz）、（−ｙz，ｘz）、および（−ｙz，−ｘz）が順次出力される。
【００７０】
乗算器１４０で算出される個別ホログラム値は、ゾーンプレート座標系において、ｘ＝０、ｙ＝０、ｘ＝ｙ、およびｘ＝−ｙの４種の直線について対称なおので、ｘ座標値ｘhおよびｙ座標値ｙhの符号を反転されたものやこれらの組合せによって、高速化と資源の減少を図っている。
【００７１】
図４は、ホログラムメモリ部１６０i（ｉ＝１、２）の構成図である。図４に示すように、ホログラムメモリ部１６０iは、（ｉ）ホログラム座標値（ｘh，ｙh）ごとに、制御部１８０からのライト信号ＷＲＴiに応じてホログラム座標値（ｘh，ｙh）に応じたホログラム値を格納する、制御部１８０からのリセット信号ＲＳＴによって全内容が「０」に設定可能なホログラムメモリ１６１と、（ｉｉ）現在のホログラム値ＩOiと受信した個別ホログラム値Ｉｈとを加算し、ホログラムメモリ１６１へ通知する加算器１６２とを備える。
【００７２】
本実施形態のホログラム作成装置１００は、以下のようにして、ホログラムを計算により作成する。
【００７３】
第１フレームのホログラムの作成に先立って、制御部１８０が、選択信号ＳＥＬ１によって、選択器１７０からの出力として、ホログラムメモリ部１６０2からの出力ＩO2を選択する。そして、制御部１８０が、リセット信号ＲＳＴ１を発行してホログラムメモリ部１６０1のホログラムメモリ１６１の内容をリセットする。また、選択信号ＳＥＬ２によって、選択器１５３からの出力値と選択器１５４からの出力値との組合せとして、初期値である（ｘz，ｙz）を選択する。
【００７４】
以上の初期設定の後、制御部１８０が、第１の再生点の情報（ＸP1，ＹP1，ＺP1，ＩP1）の要求をリクエスト信号ＲＥＱにより情報源（図示せず）を通知する。この後、情報源から応答信号ＲＥＳに同期して、第１の再生点の情報（ＸP1，ＹP1，ＺP1，ＩP1）を受信する。応答信号ＲＥＳを受信をすると制御部１８０は、ホログラム作成を開始する。
【００７５】
まず、半径値発生部１１０が、第１の再生点のＺ座標値ＺP1を受信し、再生点とホログラム面との間の再生距離ＺPに応じたゾーンプレート値を算出すべき円領域の半径値であるゾーンプレート最大半径値ｒmaxを発生する。
【００７６】
次に、ゾーンプレート座標値発生部１２０が、ゾーンプレート最大半径値ｒmaxを受信し、ゾーンプレート値を算出すべき円領域内のゾーンプレート値を算出するべき点の、ゾーンプレート値を算出すべき円領域の中心を原点とする第１のゾーンプレート座標値（ｘz1，ｙz1）を発生する。
【００７７】
次いで、半径値発生部１３０が、ゾーンプレート座標値（ｘz1，ｙz1）を受信し、ゾーンプレート値を算出すべき円領域の中心を原点からゾーンプレート座標値（ｘz1，ｙz1）までの距離ｒxy1を発生する。
【００７８】
引き続き、ゾーンプレート値発生部１３５が、距離ｒxy1と再生距離ＺPとを受信し、格納された個別ゾーンプレート値の中から、受信した距離ｒxy1と再生距離ＺPとに応じた個別ゾーンプレート値ｋf1を選択して出力する。
【００７９】
次に、乗算器１４０が、個別ゾーンプレート値ｋf1と再生点の輝度値ＩP1とを受信し、乗算して個別ホログラム値Ｉh1を算出する。
【００８０】
一方、ホログラム座標値算出部１５０が、再生点のＸＹ座標値（ＸP1，ＹP1）とゾーンプレート座標値（ｘz1，ｙz1）とを受信し、ホログラム面上のホログラム座標値（ｘh11（＝ＸP1＋ｘz1），ｙh11（＝ＹP1＋ｙz1））を出力する。
【００８１】
この状態で、制御部１８０は、ライト信号ＷＲＴ1を発行する。ホログラムメモリ部１６０1は、ライト信号ＷＲＴ1を受信すると、受信しているホログラム座標値（ｘh11，ｙh11）に応じた領域に格納されていたホログラム値ＩO1（＝０）に受信した個別ホログラム値Ｉh1を累積加算したＩN（＝Ｉh1）を格納し、出力する。
【００８２】
次に、制御部１８０は、選択信号ＳＥＬ２により、ホログラム座標値算出部１５０から出力されるホログラム座標値を（ｘh12（＝ＸP1＋ｘz1），ｙh12（＝ＹP1−ｙz1））に設定する。
【００８３】
この状態で、制御部１８０は、ライト信号ＷＲＴ1を発行する。ホログラムメモリ部１６０1は、ライト信号ＷＲＴ1を受信すると、受信しているホログラム座標値（ｘh12，ｙh12）に応じた領域に格納されていたホログラム値ＩO1（＝０）に受信した個別ホログラム値Ｉh1を累積加算したＩNを格納し、出力する。
【００８４】
以後、制御部１８０は、選択信号ＳＥＬ２により、選択器１５３からの出力値と選択器１５４からの出力値との組合せを、（ｙz，ｘz）、（ｙz，−ｘz）、（−ｘz，ｙz）、（−ｘz，−ｙz）、（−ｙz，ｘz）、および（−ｙz，−ｘz）に順次設定し、ホログラム座標値算出部１５０から出力されるホログラム座標値を変化させる。そして、制御部１８０は、ホログラム座標値算出部１５０から出力されるホログラム座標値を変化させるごとに、ライト信号ＷＲＴ1を発行し、計８種のホログラム座標値について、ホログラムメモリ１６０1の該当領域に個別ホログラム値Ｉh1を累積加算した値を格納する。
【００８５】
次いで、制御部１８０が、クロック信号ＣＬＫ１をゾーンプレート座標値発生部１２０へ向けて発行する。
【００８６】
ゾーンプレート座標値発生部１２０は、クロック信号ＣＬＫ１を受信すると、ゾーンプレート値を算出すべき円領域の中心を原点とする第２のゾーンプレート座標値（ｘz2，ｙz2）を発生する。以後、第１のゾーンプレート座標値（ｘz1，ｙz1）の場合と同様にして、計８種のホログラム座標値について、ホログラムメモリ１６０1の該当領域に個別ホログラム値Ｉh2を累積加算して格納する。
【００８７】
引き続き、制御部１８０が、クロック信号ＣＬＫ１をゾーンプレート座標値発生部１２０へ向けて発行し、クロック信号ＣＬＫ１を受信したゾーンプレート座標値発生部１２０が、ゾーンプレート値を算出すべき円領域の中心を原点とするゾーンプレート座標値（ｘzj，ｙzj）を順次発生する。そして、それぞれのゾーンプレート座標値（ｘzj，ｙzj）の発生ごとに、第１のゾーンプレート座標値（ｘz1，ｙz1）の場合と同様にして、計８種のホログラム座標値について、ホログラムメモリ１６０1の該当領域に個別ホログラム値Ｉhjを累積加算して格納する。
【００８８】
こうして、第１の再生点に関して、ホログラムメモリ１６０1への個別ホログラム値の累積加算が終了すると、ゾーンプレート座標値発生部１２０から制御部１８０へ終了信号ＥＮＤが発行される。
【００８９】
制御部１８０は、終了信号ＥＮＤを受信すると、第１の再生点に関する計算処理が終了したことを認識し、第２の再生点の情報（ＸP2，ＹP2，ＺP2，ＩP2）の要求をリクエスト信号ＲＥＱにより情報源（図示せず）を通知する。この後、情報源から応答信号ＲＥＳに同期して、第１の再生点の情報（ＸP1，ＹP1，ＺP1，ＩP1）を受信する。
【００９０】
以後、第１の再生点の場合と同様にして、第２の再生点に関する計算処理を実行する。
【００９１】
この後、制御部１８０は、第３から最終の再生点の情報を順次要求し、それぞれの再生点ごとに、第１の再生点の場合と同様の計算処理を実行し、第１フレームに関するホログラムを作成する。
【００９２】
こうして、第１フレームに関する第１から最終の再生点までの計算処理が終了すると、制御部１８０が、選択信号ＳＥＬ１によって、選択器１７０が、ホログラムメモリ部１６０1からの出力ＩO1を選択して出力する。
【００９３】
次に、第２フレームに関するホログラムの作成を開始する。
【００９４】
第２フレームのホログラムの作成に先立って、制御部１８０が、リセット信号ＲＳＴ２を発行してホログラムメモリ部１６０2のホログラムメモリ１６１の内容をリセットする。また、選択信号ＳＥＬ２によって、選択器１５３からの出力値と選択器１５４からの出力値との組合せとして、初期値である（ｘz，ｙz）を選択する。
【００９５】
以後、制御部１８０が、ライト信号ＷＲＴ１にかえてライト信号ＷＲＴ２を発行することを除いて、第１フレームの場合と同様の処理を行なって、第２フレームに関するホログラムを作成する。
【００９６】
そして、第２フレームのホログラムを作成すると、制御部１８０が、選択信号ＳＥＬ１によって、選択器１７０が、ホログラムメモリ部１６０2からの出力ＩO2を選択して出力する。
【００９７】
この後、奇数番目フレームについては第１フレームと同様の処理を行ない、偶数番目フレームについては第２フレームと同様の処理を行なう。
【００９８】
（ホログラム作成装置の第２実施形態）
図５は、本発明のホログラム作成装置の第２実施形態の構成図である。本実施形態は、ゾーンプレートを半平面に限定して、ホログラムを作成する。なお、本実施形態でも、第１実施形態と同様に、座標系（ｘ，ｙ，ｚ）を、ホログラム面がｚ＝０におけるｘｙ平面となるように選択している。
【００９９】
図５に示すように、本実施形態のホログラム作成装置２００は、（ａ）再生点の座標値および輝度（ＸP，ＹP，ＺP，ＩP）を受信し、ホログラム座標値（ｘh，ｙh）と個別ホログラム値Ｉhとを発生するホログラム計算部２９０と、（ｂ）ホログラム座標値（ｘh，ｙh）と個別ホログラム値Ｉhとを受信し、受信したホログラム座標値（ｘh，ｙh）に応じた領域に格納されていたホログラム値ＩO1に、受信した個別ホログラム値Ｉhを累積加算して格納するホログラムメモリ部１６０1と、（ｃ）ホログラム座標値（ｘh，ｙh）と個別ホログラム値Ｉhとを受信し、受信したホログラム座標値（ｘh，ｙh）に応じた領域に格納されていたホログラム値Ｉo2に、受信した個別ホログラム値Ｉhを累積加算して格納する、ホログラムメモリ部１６０1と交互に動作するホログラムメモリ部１６０2と、（ｄ）ホログラムメモリ部１６０1の出力ＩO1およびホログラムメモリ部１６０2の出力ＩO2のいずれか一方を選択して出力する選択器１７０と、（ｅ）ホログラム作成装置の動作全体を制御する制御部２８０とを備える。
【０１００】
図５に示すように、ホログラム計算部２９０は、第１実施形態のホログラム計算部１９０と比べて、ゾーンプレート座標値発生部１２０をゾーンプレート座標値発生部２２０とし、ホログラム座標値算出部１５０をホログラム座標値算出部２５０とした点が異なる。
【０１０１】
図６は、ゾーンプレート座標値発生部２２０の構成図である。図６に示すように、ゾーンプレート座標値発生部２２０は、ゾーンプレート座標値発生部１２０と比べて、符号変換器１２１を０発生器２２１とした点のみが異なる。すなわち、ゾーンプレート座標値発生部２２０が発生するゾーンプレート座標値（ｘz，ｙz）は、ｙz≧０の半平面に限定される。
【０１０２】
図７は、ホログラム座標値算出部２５０の構成図である。図７に示すように、ホログラム座標値算出部２５０は、選択器１５３を４入力の選択器２５３とし、選択器１５４を４入力の選択器２５４とした点が異なる。
【０１０３】
この結果、受信したゾーンプレート座標値（ｘz，ｙz）に基づき、制御部２８０から受信した選択信号ＳＥＬ３に応じて、選択器２５３の出力と選択器２５４の出力との組合せが、（ｘz，−ｙz）、（−ｘz，−ｙz）、（−ｙz，ｘz）、および（−ｙz，−ｘz）の４種となる。
【０１０４】
制御部２８０は、第１実施形態の制御部１８０と比べて、選択信号ＳＥＬ２に代えてＳＥＬ３を発行する点のみが異なる。
【０１０５】
本実施形態のホログラム作成装置２００は、ゾーンプレート座標値発生部２２０とホログラム座標値算出部２５０との作用により、ゾーンプレート値を半平面に限定して計算する点を除いて、第１実施形態と同様に動作してホログラムを作成する。
【０１０６】
（ホログラム作成装置の第３実施形態）
図８は、本発明のホログラム作成装置の第３実施形態の構成図である。本実施形態は、第１実施形態におけるホログラムの作成を所定の領域ごと並列動作させて、高速に実行する。なお、本実施形態でも、第１実施形態と同様に、座標系（ｘ，ｙ，ｚ）を、ホログラム面がｚ＝０におけるｘｙ平面となるように選択している。
【０１０７】
図８に示すように、本実施形態のホログラム作成装置３００は、（ａ）再生点の座標値および輝度（ＸP，ＹP，ＺP，ＩP）を受信し、受信順に再生点の座標値および輝度（ＸP，ＹP，ＺP，ＩP）を出力するマルチプレクサ３１０と、（ｂ）ｘｙ座標値（ＸP，ＹP）に応じたＮ個の領域に対応して配設された、再生点の座標値および輝度（ＸP，ＹP，ＺP，ＩP）を受信し、ホログラム座標値（ｘh，ｙh）と個別ホログラム値Ｉhとを発生するホログラム計算部１９０1〜１９０Nと、（ｃ）ホログラム計算部１９０1〜１９０Nごとに配設され、ホログラム計算部１９０1〜１９０Nから出力されたホログラム座標値（ｘh，ｙh）と個別ホログラム値Ｉhとを受信して一時的に格納し、受信順に出力するファストインファストアウト（ＦＩＦＯ）バッファ３２０1〜３２０Nと、（ｄ）ＦＩＦＯバッファ３２０1〜３２０Nからの出力を受信し、ホログラム座標値（ｘh，ｙh）に応じたＮ個の領域に対応して出力するクロスバースイッチ３３０と、（ｅ）ホログラム座標値（ｘh，ｙh）に応じたＮ個の領域に対応して配設された、ホログラム座標値（ｘh，ｙh）と個別ホログラム値Ｉhとを受信し、受信したホログラム座標値（ｘh，ｙh）に応じた領域に格納されていたホログラム値ＩO1に、受信した個別ホログラム値Ｉhを累積加算して格納するホログラムメモリ部１６０11〜１６０1Mを備えるホログラムメモリブロック３４０1と、（ｆ）ホログラム座標値（ｘh，ｙh）に応じたＮ個の領域に対応して配設された、ホログラム座標値（ｘh，ｙh）と個別ホログラム値Ｉhとを受信し、ホログラム座標値（ｘh，ｙh）と個別ホログラム値Ｉhとを受信し、受信したホログラム座標値（ｘh，ｙh）に応じた領域に格納されていたホログラム値ＩO2に、受信した個別ホログラム値Ｉhを累積加算して格納するホログラムメモリ部１６０21〜１６０2Mを備えるホログラムメモリブロック３４０1と交互に動作するホログラムメモリブロック３４０2と、（ｄ）ホログラムメモリブロック３４０1の出力ＩO1およびホログラムメモリブロック３４０2の出力ＩO2のいずれか一方を選択して出力する選択器１７０と、（ｅ）ホログラム作成装置の動作全体を制御する制御部３８０とを備える。
【０１０８】
本実施形態のホログラム作成装置３００は、以下のようにして、ホログラムを計算により作成する。
【０１０９】
第１フレームのホログラムの作成に先立って、制御部３８０が、選択信号ＳＥＬ１によって、選択器１７０からの出力として、ホログラムメモリブロック３４０2からの出力ＩO2を選択する。そして、制御部３８０が、リセット信号ＲＳＴ１を発行してホログラムメモリブロック３４０1のホログラムメモリ部１６０11〜１６０1Mのホログラムメモリ１６１の内容をリセットする。また、選択信号ＳＥＬ２によって、ホログラム計算部１９０1〜１９０Nの選択器１５３からの出力値と選択器１５４からの出力値との組合せとして、初期値である（ｘz，ｙz）を選択する。また、ライト選択信号ＷＳＬにより、以後のホログラムの作成をホログラムメモリブロック３４０1で行なうことを指定する。
【０１１０】
以上の初期設定の後、制御部３８０が、第１〜第Ｎの再生点の情報（ＸPi，ＹPi，ＺPi，ＩPi）の要求をリクエスト信号ＲＥＱにより情報源（図示せず）に通知する。この後、情報源から応答信号ＲＥＳに同期して、第１〜第Ｎの再生点の情報（ＸPi，ＹPi，ＺPi，ＩPi）を受信する。応答信号ＲＥＳを受信をすると制御部３８０は、ホログラム作成を開始する。
【０１１１】
まず、マルチプレクサ３１０が第１〜第Ｎの再生点の情報（ＸPi，ＹPi，ＺPi，ＩPi）を受信し、ホログラム計算部１９０1〜１９０Nへ分配して出力する。
【０１１２】
次に、夫々のホログラム計算部１９０iが、第ｉの再生点の情報（ＸPi，ＹPi，ＺPi，ＩPi）を受信し、第１実施形態と同様にして、ホログラム座標値（ｘhi，ｙhi）と個別ホログラム値Ｉhiとを発生する。このとき、ホログラム計算部１９０1〜１９０Nは、並行して動作する。
【０１１３】
クロスバースイッチ３３０は、ＦＩＦＯバッファ３２０1〜３２０Nを経由したホログラム座標値（ｘhi，ｙhi）と個別ホログラム値Ｉhiとを受信する。そして、受信したホログラム座標値（ｘhi，ｙhi）に応じた領域に対応して配設されたホログラムメモリ部１６０1j（ｊ＝１〜Ｍ）へ向けて、ライト信号ＷＲＴ１jを添えて出力する。
【０１１４】
このとき、ホログラムメモリ部１６０jへ向けて出力すべきホログラム座標値が複数存在する場合には、クロスバースイッチ３３０は、優先度の高い順序で、順次、ホログラム座標値をライト信号ＷＲＴ１jを添えて出力する。
【０１１５】
こうして、クロスバースイッチ３３０からホログラム座標値（ｘhi，ｙhi）と個別ホログラム値Ｉhiとライト信号ＷＲＴ１jとを受信した、ホログラムメモリ部１６０1jは、第１実施例で説明したように動作して、ホログラムメモリ１６１の内容を更新する。
【０１１６】
以上のようにして、ホログラム計算部１９０1〜１９０Nとクロスバースイッチ３３０とが並行動作して、ホログラムメモリブロック３４０1の格納内容を更新する。
【０１１７】
そして、制御部３８０に、ホログラム計算部１９０1〜１９０Nの動作の完了がＥＮＤ1〜ＥＮＤNで通知され、かつ、クロスバースイッチ３３０からＦＩＦＯバッファ３２０1〜３２０Nの全てが空になったことがＷＥＤで通知されると、制御部３８０は、第１〜第Ｎの再生点の情報（ＸPi，ＹPi，ＺPi，ＩPi）に関する処理が終了したことを認識する。
【０１１８】
次に、第（Ｎ＋１）〜第２Ｎの再生点の情報（ＸPi，ＹPi，ＺPi，ＩPi）の要求をリクエスト信号ＲＥＱにより情報源に通知する。以後、第１〜第Ｎの再生点の場合と同様にして、第（Ｎ＋１）〜第２Ｎの再生点に関する処理を行なう。
【０１１９】
次いで、最終の再生点に至るまで、上記と同様に処理し、第１フレームのホログラムを作成する。
【０１２０】
こうして、第１フレームに関する第１から最終の再生点までの計算処理が終了すると、制御部３８０が、選択信号ＳＥＬ１によって、選択器１７０が、ホログラムメモリブロック３４０1からの出力ＩO1を選択して出力する。
【０１２１】
次に、第２フレームに関するホログラムの作成を開始する。
【０１２２】
第２フレームのホログラムの作成に先立って、制御部３８０が、リセット信号ＲＳＴ２を発行してホログラムメモリブロック３４０2のホログラムメモリ部１６０21〜１６０2Mのホログラムメモリ１６１の内容をリセットする。また、選択信号ＳＥＬ２によって、選択器１５３からの出力値と選択器１５４からの出力値との組合せとして、初期値である（ｘz，ｙz）を選択する。
【０１２３】
以後、制御部３８０が、ライト選択信号ＷＳＬによって、以後のホログラムの作成をホログラムメモリブロック３４０2で行なうことを指定する。そして、クロスバースイッチ３３０がライト信号ＷＲＴ２を発行することを除いて、第１フレームの場合と同様の処理を行なって、第２フレームに関するホログラムをホログラムメモリブロック３４０2で作成する。
【０１２４】
そして、第２フレームのホログラムを作成すると、制御部３８０が、選択信号ＳＥＬ１によって、選択器１７０が、ホログラムメモリブロック３４０2からの出力ＩO2を選択して出力する。
【０１２５】
この後、奇数番目フレームについては第１フレームと同様の処理を行ない、偶数番目フレームについては第２フレームと同様の処理を行なう。
【０１２６】
本実施形態では、第１実施形態よりも高速でホログラムを作成することができる。
【０１２７】
なお、本実施形態では、第１実施形態のホログラム計算部１９０1〜１９０Nに代えて、第２実施形態のホログラム計算部２９０1〜２９０Nを採用することも可能である。この場合、制御部３８０を変形して、選択信号ＳＥＬ２に代えて第２実施形態のようにＳＥＬ３を発行するようにする必要がある。
【０１２８】
（ホログラフィ表示装置の第１実施形態）
図９は、本発明のホログラフィ表示装置の第１実施形態の構成図である。図９に示すように、本実施形態のホログラフィ表示装置は、表示対象体の輝点の座標値と輝度値とから表示対象体の３次元形態を表示するホログラフィ表示装置であって、（ａ）右目用ホログラム情報が書込まれ、右目用光源５２０rからの右目用読み出し光の照射によって右目用の３次元情報を担った光を発生する右目用空間光変調器５１０rと、（ｂ）右目用の３次元情報を担った光を受信し、右目の視点位置に導く右目用光学系５３０rと、（ｃ）左目用ホログラム情報が書込まれ、左目用光源５２０lからの左目用読み出し光の照射によって左目用の３次元情報を担った光を発生する左目用空間光変調器５１０lと、（ｄ）左目用の３次元情報を担った光を受信し、左目の視点位置に導く左目用光学系５３０lと、（ｅ）格納装置４１０から輝点の座標値を受信し、右目の視点における右目座標系の座標値に変換する右目用座標変換器４２０rと、（ｆ）虚像の座標値である右目座標系の座標値を受信し、右目用実像の座標値に変換する右目用虚像実像変換器４３０rと、（ｇ）右目用実像の座標値および輝点の輝度値とを再生点の座標値および輝度値として受信し、ホログラム面上での右目用ホログラム値を算出する右目用のホログラム作成装置１００rと、（ｈ）右目用ホログラム値を受信し、右目用空間光変調器５１０rを駆動して受信した右目用ホログラム値を書込む右目用駆動器４４０rと、（ｉ）格納装置４１０から輝点の座標値を受信し、左目の視点における左目座標系の座標値に変換する左目用座標変換器４２０lと、（ｊ）虚像の座標値である左目座標系の座標値を受信し、左目用実像の座標値に変換する左目用虚像実像変換器４３０lと、（ｋ）左目用実像の座標値および輝点の輝度値とを再生点の座標値および輝度値として受信し、ホログラム面上での左目用ホログラム値を算出する左目用のホログラム作成装置１００lと、（ｌ）左目用ホログラム値を受信し、左目用空間光変調器５１０lを駆動して受信した左目用ホログラム値を書込む左目用駆動器４４０とを備える。
【０１２９】
空間光変調器１００r、１００lとしては、位相振幅変調型の液晶パネルを好適に採用できる。
【０１３０】
光源５２０rおよび光源５２０lは、（ｉ）レーザ光源５２１と、（ｉｉ）レーザ光源５２１から出力された光を平行光化するコリメート光学系５２２と、（ｉｉｉ）コリメート光学系５２２から出力された光の進路を変更するミラー５２３と、（ｉｖ）ミラー５２３を経由した光の特定の偏光成分を選択して出力する偏光板５２４とを備える。
【０１３１】
光学系５３０rおよび光学系５３０lは、（ｉ）空間光変調器５１０を経由した光の特定の偏光成分を選択して出力する偏光板５３１と、（ｉｉ）偏光板５３１を経由した光を視点ＰrまたはＰlに集光するレンズ５３２と、（ｉｉｉ）レンズ５３２を経由した光を視点ＰrまたはＰlへ導くミラー５３３およびミラー５３４とを備える。
【０１３２】
本実施形態では、視点Ｐrから視点Ｐlとの間の距離を値Ｗとし、視点ＰrおよびＰlからＺO方向に距離Ｌだけ離れた位置に物体座標系（ＸO，ＹO，ＺO）を図９のように設定する。また、格納装置４１０には、物体座標系で３次元物体を構成する輝点の座標と輝度（ＸP，ＹP，ＺP，ＩP）が格納されている。
【０１３３】
本実施形態のホログラフィ表示装置では、以下のようにして、表示対象体の３次元形態を表示する。
【０１３４】
まず、右目用座標変換器４２０rが、格納装置４１０から輝点の座標値（ＸP，ＹP，ＺP）を受信し、
【０１３５】
【数１】
0004028908.tif 000002
に従って、右目の視点における右目座標系の座標値（Ｘre，Ｙre，Ｚre）に変換する。また、左目用座標変換器４２０lが、輝点の座標値（ＸP，ＹP，ＺP）を受信し、
【０１３６】
【数２】
0004028908.tif 000003
に従って、左目の視点における左目座標系（Ｘle，Ｙle，Ｚle）の座標値に変換する。
【０１３７】
次に、右目用虚像実像変換器４３０rが、虚像の座標値である右目座標系の座標値（Ｘre，Ｙre，Ｚre）を受信し、
【数３】
0004028908.tif 000004
に従って、右目用実像の座標値（Ｘrs，Ｙrs，Ｚrs）に変換する。また、左目用虚像実像変換器４３０lが、虚像の座標値である左目座標系の座標値を受信し、
【０１３８】
【数４】
0004028908.tif 000005
に従って、左目用実像の座標値（Ｘls，Ｙls，Ｚls）に変換する。
【０１３９】
次いで、右目用のホログラム作成装置１００rが、右目用実像の座標値（Ｘrs，Ｙrs，Ｚrs）および輝点の輝度値ＩPとを再生点の座標値および輝度値として受信し、ホログラム面上での右目用ホログラム値ＩOrを算出するとともに、左目用のホログラム作成装置１００lが、左目用実像の座標値（Ｘls，Ｙls，Ｚls）および輝点の輝度値ＩPとを再生点の座標値および輝度値として受信し、ホログラム面上での左目用ホログラム値ＩOlを算出する。
【０１４０】
引き続き、右目用駆動器４４０rが、右目用ホログラム値ＩOrを受信し、右目用空間光変調器５１０rを駆動して受信した右目用ホログラム値ＩOrを書込む。また、左目用駆動器４４０lが、左目用ホログラム値ＩOlを受信し、左目用空間光変調器５１０lを駆動して受信した左目用ホログラム値ＩOlを書込む。
【０１４１】
次に、右目用空間光変調器５１０rに、右目用光源５２０rからの右目用読み出し光を照射して右目用の３次元情報を担った光を発生させる。また、左目用空間光変調器５１０lに、左目用光源５２０lからの左目用読み出し光を照射して左目用の３次元情報を担った光を発生させる。
【０１４２】
そして、右目用光学系５３０rが右目用の３次元情報を担った光を受信し、右目の視点位置Ｐrに導くとともに、左目用光学系５３０lが左目用の３次元情報を担った光を受信し、左目の視点位置Ｐlに導く。
【０１４３】
この後、視点位置Ｐrから右目で、視点位置Ｐlから左目で観察することにより、物体座標系（ＸO，ＹO，ＺO）で、表示対象体の３次元形態を観察することができる。
【０１４４】
本実施形態では、ホログラム作成装置として、第１実施形態のホログラム作成装置１００を使用したが、第３実施形態のホログラム作成装置３００を使用することも可能である。この場合には、本実施形態の場合よりも高速で、表示対象体の３次元形態を観察することができる。
【０１４５】
（ホログラフィ表示装置の第２実施形態）
図１０は、本発明のホログラフィ表示装置の第２実施形態の構成図である。図１０に示すように、本実施形態のホログラフィ表示装置は、第１実施形態のホログラフィ表示装置と比べて、ホログラム作成装置５１０r、５１０lに代えて、ホログラム作成装置２００r、２００lを採用する点、位相振幅変調型の空間光変調器１００ｒ、１００ｌに代えて、位相または振幅のみを変調する空間光変調器５１５r、５１５lを採用する点、および、視点Ｐrの位置に０次遮光板６１０rおよび半平面の遮光板６２０rを、視点Ｐlの位置に０次遮光板６１０lおよび半平面の遮光板６２０lを更に備える点が異なる。
【０１４６】
空間光変調器５１５r、５１５lとしては、位相変調型の液晶パネルまたは振幅変調型の液晶パネルを好適に採用できる。
【０１４７】
本実施形態では、位相または振幅のみを変調する空間光変調器を使用しつつ、共役像を除去して、表示対象体の３次元形態を観察することができる。
【０１４８】
図１１は、共役像の除去の原理の説明図である。空間光変調器５１５にゾーンプレートの半分を書込む。図１１の場合には、ゾーンプレートの下側半分を書込んでいる。
【０１４９】
この空間光変調器５１５に平行干渉光を照射すると、輝点の実像ＲＬと虚像ＩＭ１とが発生する。虚像ＩＭ１に関する光は、レンズ５３２を経由後、レンズ５３２の後焦点面において、後焦点の下側を必ず通過する。したがって、虚像ＩＭ１に関する光は、レンズ５３２の後焦点面の後焦点の下側に配設された遮光板６２０によって除去される。一方、実像ＲＬに関する光は、レンズ５３２を経由後、レンズ５３２の後焦点面において、後焦点の上側を通過する。したがって、虚像ＩＭ１に関する光は、遮光板６２０によって除去されることはない。
【０１５０】
また、空間光変調器５１５を経由した非変調成分は、レンズ５３２の後焦点面において、後焦点に集中する。したがって、レンズ５３２の後焦点に配設された０次遮光板６１０によって除去される。
【０１５１】
すなわち、０次遮光板６１０および遮光板６２０の後側から観察すれば、共役像が除去された状態で、実像ＲＬをレンズ５２３による虚像として虚像ＩＭ２のみを観測することができる。
【０１５２】
実際の表示では、多数の輝点によって構成される像を観測することになるが、共役像の除去の原理は、上記の一点の場合と同様である。
【０１５３】
また、右目および左目による観察の場合にも、上記の原理を右目および左目ごとに実施すればよい。
【０１５４】
本実施形態のホログラフィ表示装置では、以下のようにして、表示対象体の３次元形態を表示する。
【０１５５】
まず、右目用座標変換器４２０rが、格納装置４１０から輝点の座標値（ＸP，ＹP，ＺP）を受信し、第１実施形態のホログラフィ表示装置と同様にして、右目の視点における右目座標系の座標値（Ｘre，Ｙre，Ｚre）に変換する。また、左目用座標変換器４２０lが、輝点の座標値（ＸP，ＹP，ＺP）を受信し、第１実施形態のホログラフィ表示装置と同様にして、左目の視点における左目座標系（Ｘle，Ｙle，Ｚle）の座標値に変換する。
【０１５６】
次に、右目用虚像実像変換器４３０rが、虚像の座標値である右目座標系の座標値（Ｘre，Ｙre，Ｚre）を受信し、第１実施形態のホログラフィ表示装置と同様にして、右目用実像の座標値（Ｘrs，Ｙrs，Ｚrs）に変換する。また、左目用虚像実像変換器４３０lが、虚像の座標値である左目座標系の座標値を受信し、第１実施形態のホログラフィ表示装置と同様にして、左目用実像の座標値（Ｘls，Ｙls，Ｚls）に変換する。
【０１５７】
次いで、右目用のホログラム作成装置２００rが、右目用実像の座標値（Ｘrs，Ｙrs，Ｚrs）および輝点の輝度値ＩPとを再生点の座標値および輝度値として受信し、ホログラム面上でのゾーンプレートの下側半分に基づく右目用ホログラム値ＩOrを算出するとともに、左目用のホログラム作成装置１００lが、左目用実像の座標値（Ｘls，Ｙls，Ｚls）および輝点の輝度値ＩPとを再生点の座標値および輝度値として受信し、ホログラム面上でのゾーンプレートの下側半分に基づく左目用ホログラム値ＩOlを算出する。
【０１５８】
引き続き、右目用駆動器４４０rが、右目用ホログラム値ＩOrを受信し、右目用空間光変調器５１０rを駆動して受信した右目用ホログラム値ＩOrを書込む。また、左目用駆動器４４０lが、左目用ホログラム値ＩOlを受信し、左目用空間光変調器５１０lを駆動して受信した左目用ホログラム値ＩOlを書込む。
【０１５９】
次に、右目用空間光変調器５１０rに、右目用光源５２０rからの右目用読み出し光を照射して右目用の３次元情報を担った光を発生させる。また、左目用空間光変調器５１０lに、左目用光源５２０lからの左目用読み出し光を照射して左目用の３次元情報を担った光を発生させる。
【０１６０】
そして、右目用光学系５３０rが右目用の３次元情報を担った光を受信し、右目の視点位置Ｐrに導くとともに、左目用光学系５３０lが左目用の３次元情報を担った光を受信し、左目の視点位置Ｐlに導く。
【０１６１】
そして、視点位置Ｐrにおいて、０次遮光板６１０rおよび遮光板６２０rで共役像に関連する光が遮断される。また、視点位置Ｐlにおいて、０次遮光板６１０lおよび遮光板６２０lで共役像に関連する光が遮断される。
【０１６２】
この後、視点位置Ｐrから右目で、視点位置Ｐlから左目で観察することにより、物体座標系（ＸO，ＹO，ＺO）で、共役像を除去した状態での表示対象体の３次元形態を観察することができる。
【０１６３】
本実施形態では、ホログラム作成装置として、第２実施形態のホログラム作成装置２００を使用したが、第３実施形態で説明した、第３実施形態のホログラム作成装置３００の変形を使用することも可能である。この場合には、本実施形態の場合よりも高速で、表示対象体の３次元形態を観察することができる。
【０１６４】
【発明の効果】
以上、詳細に説明した通り、本発明のホログラム作成装置およびホログラム作成方法によれば、ゾーンプレート値の計算にあたって必須である、三角関数演算や平方根演算を使用する計算を想定値について予め計算しておき、テーブル化したので、簡単な構成で高速に計算機ホログラムを計算することができる。
【０１６５】
また、本発明のホログラフィ表示装置によれば、本発明のホログラム作成装置を使用したので、計算機ホログラムに基づいて３次元像を高速で表示する。
【図面の簡単な説明】
【図１】本発明のホログラム作成装置の第１実施形態の構成図である。
【図２】図１のゾーンプレート座標値発生部１２０の構成図である。
【図３】図１のホログラム座標値算出部１５０の構成図である。
【図４】図１のホログラムメモリ部１６０の構成図である。
【図５】本発明のホログラム作成装置の第２実施形態の構成図である。
【図６】図５のゾーンプレート座標値発生部２２０の構成図である。
【図７】図５のホログラム座標値算出部２５０の構成図である。
【図８】本発明のホログラム作成装置の第３実施形態の構成図である。
【図９】本発明のホログラフィ表示装置の第１実施形態の構成図である。
【図１０】本発明のホログラフィ表示装置の第２実施形態の構成図である。
【図１１】共役像の除去の原理の説明図である。
【符号の説明】
１００，２００，３００…ホログラム作成装置、１１０…半径値発生部１１０、１２０，２２０…ゾーンプレート座標値発生部、１３０…半径値発生部、１３５…ゾーンプレート値発生部、１４０…乗算器、１５０，２５０…ホログラム座標値算出部、１６０…ホログラムメモリ部、１７０…選択器、１８０，２８０，３８０…制御部、１９０…ゾーンプレート計算部、３１０…マルチプレクサ、３２０…ＦＩＦＯ、３３０…クロスバースイッチ、３４０…ホログラムメモリブロック、４１０…格納装置、４２０…座標変換器、４３０…虚像実像変換器、４４０…駆動器、５１０，５１５…空間光変調器、５２０…光源、５３０…光学系、６１０…０次遮光板、６２０…遮光板。
【図１】
0004028908.tif 000006
【図２】
0004028908.tif 000007
【図３】
0004028908.tif 000008
【図４】
0004028908.tif 000009
【図５】
0004028908.tif 000010
【図６】
0004028908.tif 000011
【図７】
0004028908.tif 000012
【図８】
0004028908.tif 000013
【図９】
0004028908.tif 000014
【図１０】
0004028908.tif 000015
【図１１】
0004028908.tif 000016